(57)【要約】【課題】マルチモニタ機能を使用してプレゼンテーションを行う場合において、操作者が主モニタ上に表示されている画像データを操作している最中に誤ってその画像データの一部がプロジェクタの投射画面上にはみ出して見えてしまうという従来の課題を解決し、前記主モニタ上に表示された画像データがプレゼンテーションを行っているプロジェクタ上にはみ出して移動しないようにすることを目的とする。【解決手段】マルチモニタ機能を使用する際、画像信号装置１において、プロジェクタ２から投射されるセカンダリモニタ領域を主モニタ領域の左上隅に一点で接するように配置する制御手段を設ける構成とした。【選択図】図４
2007101852.tif 000002
【特許請求の範囲】
【請求項１】
パソコンに代表される画像信号装置と、前記画像信号装置と任意のネットワーク網で接続されたプロジェクタとから構成されるネットワーク機能を有するプロジェクタを使用したプレゼンテーションシステムにおいて、
前記画像信号装置は、
マルチモニタ機能により主モニタ用画像データ領域と第２のモニタ（セカンダリモニタ）用画像データ領域とを有する画像記憶手段と、前記画像記憶手段に格納された主モニタ用画像データを任意のモニタ上に表示する表示手段Ａと、前記セカンダリモニタ用画像データを取得し任意の画像フォーマットに変換する画像取得手段と、前記画像取得手段により変換された画像データを前記ネットワーク網を介して前記プロジェクタに転送する通信手段Ａと、前記画像記憶手段及び前記表示手段Ａ及び前記画像取得手段及び前記通信手段Ａを各々制御するマイクロプロセッサに代表される制御手段Ａとを有し、
前記プロジェクタは、
前記画像信号装置から転送された前記画像データを受信する通信手段Ｐと、
前記通信手段Ｐにより受信した前記画像データを任意のフォーマットに展開する画像展開手段と、
前記通信手段Ｐにより受信された前記画像データを前記画像展開手段によって一旦格納する記憶素子Ｐと、
前記画像展開手段により展開された画像データを入力とし任意の表示素子を通じてスクリーンに対し拡大投射する表示手段と、
前記通信手段Ｐ及び前記画像展開手段及び前記表示手段Ｐを各々制御するマイクロプロセッサに代表される制御手段Ｐとから構成され、
前記制御手段Ａは、前記セカンダリモニタ用画像データ領域を、前記主モニタ用画像データ領域の上あるいは下あるいは左上隅あるいは右上隅あるいは左下隅あるいは右下隅に配置し、
前記画像信号装置から転送された前記セカンダリモニタ用画像データを前記プロジェクタにて拡大投射することにより、マルチモニタ機能を使用したプレゼンテーションを可能とすることを特徴とするネットワーク機能を有するプロジェクタを使用したプレゼンテーションシステム。
【請求項２】
前記画像信号装置において、前記制御手段Ａは、前記セカンダリモニタ用画像データ領域を前記主モニタ用画像データ領域と一点のみで接して配置することを特徴とする請求項１記載のネットワーク機能を有するプロジェクタを使用したプレゼンテーションシステム。
【請求項３】
前記画像信号装置において、前記制御手段Ａは、前記セカンダリモニタ用画像データ領域が前記主モニタ用画像データ領域に対して配置されている位置を検出し、前記主モニタ用画像データが前記セカンダリモニタ用画像データ領域と接している点及びその周囲の画像データ領域上に任意の画像を重畳する画像重畳手段を備えたことを特徴とする請求項１または請求項２記載のネットワーク機能を有するプロジェクタを使用したプレゼンテーションシステム。
【請求項４】
前記画像信号装置において、前記制御手段Ａは、前記通信手段Ａを介して前記プロジェクタの表示解像度数を検出し、前記セカンダリモニタ用画像データ領域の解像度数を前記プロジェクタの表示解像度数に等しくすることを特徴とする請求項１乃至請求項３のいずれかに記載のネットワーク機能を有するプロジェクタを使用したプレゼンテーションシステム。
【請求項５】
パソコンに代表される画像信号装置と、前記画像信号装置と任意のネットワーク網で接続されたプロジェクタとから構成されるネットワーク機能を有するプロジェクタを使用したプレゼンテーションシステムにおいて、
前記画像信号装置は、
マルチモニタ機能により主モニタ用画像データ領域と第２のモニタ（セカンダリモニタ）用画像データ領域とを有する画像記憶手段と、前記画像記憶手段に格納された主モニタ用画像データを任意のモニタ上に表示する表示手段Ａと、前記セカンダリモニタ用画像データを取得し任意の画像フォーマットに変換する画像取得手段と、前記画像取得手段により変換された画像データを前記ネットワーク網を介して前記プロジェクタに転送する通信手段Ａと、前記画像記憶手段及び前記表示手段Ａ及び前記画像取得手段及び前記通信手段Ａを各々制御するマイクロプロセッサに代表される制御手段Ａとを有し、
前記プロジェクタは、
前記画像信号装置から転送された前記画像データを受信する通信手段Ｐと、
前記通信手段Ｐにより受信した前記画像データを任意のフォーマットに展開する画像展開手段と、
前記通信手段Ｐにより受信された前記画像データを前記画像展開手段によって一旦格納する記憶素子Ｐと、
前記画像展開手段により展開された画像データを入力とし任意の表示素子を通じてスクリーンに対し拡大投射する表示手段と、
前記通信手段Ｐ及び前記画像展開手段及び前記表示手段Ｐを各々制御するマイクロプロセッサに代表される制御手段Ｐとから構成され、
前記制御手段Ａは、所定のアプリケーションソフトが前記セカンダリモニタ用画像データ領域上で起動した場合、その前記セカンダリモニタ用画像データ領域の解像度数を前記プロジェクタの表示解像度数より小さくし、
前記プロジェクタにおいて、前記制御手段Ｐは、前記画像信号装置から前記ネットワーク網を介して転送された前記セカンダリモニタ用画像データ領域の解像度数の情報を検出し、前記セカンダリモニタ用画像データ領域の解像度数の情報において、前記プロジェクタの表示解像度数より前記セカンダリモニタ用画像データ領域の解像度数が小さい場合、前記画像信号装置から転送されたセカンダリモニタ用画像データを前記プロジェクタの表示解像度数まで拡大する画像拡大手段を備えたことにより、マルチモニタ機能を使用したプレゼンテーションを可能とすることを特徴とするネットワーク機能を有するプロジェクタを使用したプレゼンテーションシステム。
【請求項６】
前記画像信号装置において、前記制御手段Ａは、マウスに代表されるポインタデバイスの表示領域が前記主モニタ用画像データ領域に配置されているか前記セカンダリモニタ用画像データ領域に配置されているかを検出し、前記セカンダリモニタ用画像データ領域に前記ポインタデバイスの表示領域が配置されている場合に前記ポインタデバイスの表示座標位置データを前記プロジェクタに通知する手段を有し、
前記プロジェクタにおいて、前記制御手段Ｐは、前記ポインタデバイスの表示座標位置データを前記画像信号装置から受信したときのみ所定のポインタ画像データを前記画像展開手段により展開された画像データに重畳し前記表示手段Ｐに出力する手段を備えたことを特徴とする請求項１乃至請求項５のいずれかに記載のネットワーク機能を有するプロジェクタを使用したプレゼンテーションシステム。
【請求項７】
前記画像信号装置において、前記画像記憶手段内部に前記主モニタ用画像データ領域及び前記セカンダリモニタ用画像データ領域の他に第３の外部モニタ用画像データ領域が存在する場合、前記第３の外部モニタ用画像データ領域の動作を停止させる手段を備えたことを特徴とする請求項１乃至請求項６のいずれかに記載のネットワーク機能を有するプロジェクタを使用したプレゼンテーションシステム。
【請求項８】
前記画像信号装置において、前記主モニタ用画像データ領域上に表示された任意の画像データを前記セカンダリモニタ用画像データ領域へ移動させる際、前記主モニタ用画像データ領域上に表示された前記画像データのサイズが前記セカンダリモニタ用画像データ領域のサイズよりも大きい場合、前記主モニタ用画像データ領域上に表示された前記画像データのサイズを前記セカンダリモニタ用画像データ領域のサイズ以下に縮小した後に前記セカンダリモニタ用画像データ領域へ移動する手段を備えたことを特徴とする請求項１乃至請求項８のいずれかに記載のネットワーク機能を有するプロジェクタを使用したプレゼンテーションシステム。
【請求項９】
画像信号装置において、マルチモニタ機能を使用するか否かを判定する判定ステップと、前記判定ステップにおいてマルチモニタ機能を使用すると判定した場合に、セカンダリモニタ用画像データ領域を、主モニタ用画像データ領域の上あるいは下あるいは左上隅あるいは右上隅あるいは左下隅あるいは右下隅に配置するセカンダリモニタ使用処理ステップと、前記判定ステップにおいてマルチモニタ機能を使用しないと判定した場合に、前記セカンダリモニタ用画像データ領域と前記主モニタ用画像データ領域とを同一とするセカンダリモニタ未使用処理ステップと、前記セカンダリモニタ使用処理ステップ或いは前記セカンダリモニタ未使用処理ステップを実行後に任意の画像データを取得する画像取得ステップと、前記画像取得ステップにより取得された画像データをプロジェクタへ送信する画像転送ステップとを備えたことを特徴とするネットワーク機能を有するプロジェクタを使用したプレゼンテーション方法。
【請求項１０】
前記セカンダリモニタ使用処理ステップにおいて、前記セカンダリモニタ用画像データ領域を前記主モニタ用画像データ領域と一点のみで接して配置することを特徴とする請求項９記載のネットワーク機能を有するプロジェクタを使用したプレゼンテーション方法。
【請求項１１】
前記セカンダリモニタ使用処理ステップ実行後に、前記セカンダリモニタ用画像データ領域が前記主モニタ用画像データ領域に対して配置されている位置を検出し、前記主モニタ用画像データが前記セカンダリモニタ用画像データ領域と接している点及びその周囲の画像データ領域上に任意の画像を重畳した後に前記画像取得ステップを実行する画像重畳ステップを備えたことを特徴とする請求項９または請求項１０記載のネットワーク機能を有するプロジェクタを使用したプレゼンテーション方法。
【請求項１２】
前記判定ステップにおいてマルチモニタ機能を使用すると判定した場合に、前記プロジェクタの表示解像度数を検出し、前記セカンダリモニタ用画像データ領域の解像度数を前記プロジェクタの表示解像度数に等しくした後に前記セカンダリモニタ使用処理ステップを実行する表示解像度数設定ステップを備えたことを特徴とする請求項９乃至請求項１１のいずれかに記載のネットワーク機能を有するプロジェクタを使用したプレゼンテーション方法。
【請求項１３】
前記画像信号装置において、マルチモニタ機能を使用するか否かを判定する判定ステップと、前記判定ステップにおいてマルチモニタ機能を使用すると判定した場合に、セカンダリモニタ用画像データ領域を主モニタ用画像データ領域近傍に配置するセカンダリモニタ使用処理ステップと、前記判定ステップにおいてマルチモニタ機能を使用しないと判定した場合に、前記セカンダリモニタ用画像データ領域と前記主モニタ用画像データ領域とを同一とするセカンダリモニタ未使用処理ステップと、前記セカンダリモニタ使用処理ステップ或いは前記セカンダリモニタ未使用処理ステップを実行後に任意の画像データを取得する画像取得ステップと、前記画像取得ステップにより取得された画像データをプロジェクタへ送信する画像転送ステップとを備え、前記セカンダリモニタ使用処理ステップ実行後に所定のアプリケーションソフトが前記セカンダリモニタ用画像データ領域上で起動しているか否かを判定し、前記所定のアプリケーションソフトが前記セカンダリモニタ用画像データ領域上で起動していないと判定した場合は前記画像取得ステップを実行するアプリケーション起動判定ステップと、前記アプリケーション起動判定ステップにおいて所定のアプリケーションソフトが前記セカンダリモニタ用画像データ領域上で起動していると判定した場合に、セカンダリモニタ用画像データ領域の解像度数を前記プロジェクタの表示解像度数より小さくした後に前記画像取得ステップを実行する解像度縮小ステップと、
前記プロジェクタにおいて、前記画像信号装置から転送された前記セカンダリモニタ用画像データ領域の解像度数と前記プロジェクタの表示解像度数とを比較する解像度数比較ステップと、前記解像度数比較ステップにおいて前記プロジェクタの表示解像度数より前記セカンダリモニタ用画像データ領域の解像度数が小さい場合に、前記画像信号装置から転送されたセカンダリモニタ用画像データを前記プロジェクタの表示解像度数まで拡大する画像拡大ステップを備えたことを特徴とするネットワーク機能を有するプロジェクタを使用したプレゼンテーション方法。
【請求項１４】
前記画像信号装置において、前記セカンダリモニタ使用処理ステップ実行後に、マウスに代表されるポインタデバイスの表示領域が前記主モニタ用画像データ領域に配置されているか前記セカンダリモニタ用画像データ領域に配置されているかを判定するポインタ位置判定ステップと、前記ポインタ位置判定ステップにおいて前記セカンダリモニタ用画像データ領域に前記ポインタデバイスの表示領域が配置されている場合に、前記ポインタデバイスの表示座標位置データを前記プロジェクタに通知するポインタ位置通知ステップと、
前記プロジェクタにおいて、前記ポインタ位置通知ステップにより前記ポインタデバイスの表示座標位置データを前記画像信号装置から受信したときのみ所定のポインタ画像データを重畳するポインタ画像重畳ステップを備えたことを特徴とする請求項９乃至請求項１３のいずれかに記載のネットワーク機能を有するプロジェクタを使用したプレゼンテーション方法。
【請求項１５】
前記セカンダリモニタ使用処理ステップ実行後に、前記画像記憶手段内部に前記主モニタ用画像データ領域及び前記セカンダリモニタ用画像データ領域の他に第３の外部モニタ用画像データ領域が存在した場合に、前記第３の外部モニタ用画像データ領域の動作を停止させる外部モニタ判定ステップを備えたことを特徴とする請求項９乃至請求項１４のいずれかに記載のネットワーク機能を有するプロジェクタを使用したプレゼンテーション方法。
【請求項１６】
前記画像信号装置において、前記セカンダリモニタ使用処理ステップ実行後に、前記主モニタ用画像データ領域上に表示された任意の画像データを前記セカンダリモニタ用画像データ領域へ移動させるか否かを判定する画像データ移動判定ステップと、前記画像データ移動判定ステップにおいて前記主モニタ用画像データ領域上に表示された任意の画像データが前記セカンダリモニタ用画像データ領域へ移動すると判定された場合に、前記主モニタ用画像データ領域上に表示された前記画像データのサイズと前記セカンダリモニタ用画像データ領域のサイズとを比較する画像サイズ比較ステップと、前記画像サイズ比較ステップにおいて前記主モニタ用画像データ領域上に表示された前記画像データのサイズが前記セカンダリモニタ用画像データ領域のサイズよりも大きいと判定した場合に、前記主モニタ用画像データ領域上に表示された前記画像データのサイズを前記セカンダリモニタ用画像データ領域のサイズ以下に縮小した後に前記セカンダリモニタ用画像データ領域へ移動する画像サイズ縮小ステップを備えたことを特徴とする請求項９乃至請求項１５のいずれかに記載のネットワーク機能を有するプロジェクタを使用したプレゼンテーション方法。
【発明の詳細な説明】
【技術分野】
【０００１】
本発明は、パソコンに代表される画像信号装置を使用してプレゼンテーションを行う際、画像信号装置から出力されるプレゼンテーションデータを任意のネットワーク網を介してプロジェクタに投射させるネットワーク機能を有するプロジェクタを使用したプレゼンテーションシステムおよびプレゼンテーション方法に関するものである。
【背景技術】
【０００２】
近年、プレゼンテーションを行う際、画像信号装置で作成したプレゼンテーションデータをプロジェクタから投射する手法が一般的となっている。また、画像信号装置に搭載されるグラフィックスチップの進化により、マルチモニタ機能を有する画像信号装置が普及しつつある。
【０００３】
以下に従来のマルチモニタ機能を使用したプレゼンテーションシステムについて説明する。
【０００４】
従来、マルチモニタ機能を使用したプレゼンテーションシステムは、特開２００４−１７１１３１号公報（特許文献１）に記載されたものが知られている。そのマルチモニタ機能を使用したプレゼンテーションシステムの構成図を図１５に示す。図１５において、１０１はマルチモニタ機能を有するパソコンに代表される画像信号装置、１０２は画像信号装置１０１のＲＧＢ出力端子と任意のＲＧＢケーブル１０３により接続されるプロジェクタ、１０４はプロジェクタ１０２から拡大投射された画像を投影するスクリーンである。
【０００５】
以上のように構成された従来のマルチモニタ機能を使用したプレゼンテーションシステムについて説明する。
【０００６】
まず、画像信号装置１０１において、操作者はマルチモニタ機能を使用可能とするため外部モニタ（セカンダリモニタと称する）への画像出力が有効となるように設定を行う。これより、画像信号装置１０１は、元々画像データを表示していた主モニタ領域とセカンダリモニタ領域を合わせた領域を画像表示領域とすることが可能となる。画像信号装置１０１としてノートパソコンを例に挙げると、ノートパソコンに搭載された液晶ディスプレイが主モニタとなり、ノートパソコンに備え付けられたアナログＲＧＢ出力端子からセカンダリモニタ領域用画像データが出力される。これより、操作者は、プレゼンテーションを行うための画像データのみセカンダリモニタ領域に表示させ、スクリーン１０４に投影させる。逆に操作者のみがプレゼンテーション中に参照するための情報を主モニタ領域に表示させることによりスマートなプレゼンテーションを行うことが可能となる。
【特許文献１】特開２００４−１７１１３１号公報（段落番号「００２１」−「００２６」）
【発明の開示】
【発明が解決しようとする課題】
【０００７】
しかしながら上記従来の構成では、マルチモニタ機能を使用してプレゼンテーションを行う場合、操作者の意図に関わらず、主モニタ領域上に表示した画像データの一部がセカンダリモニタ領域であるプロジェクタから投射されるという問題点を有していた。
【０００８】
これは、一般的に使用されているマルチモニタ機能が、図１６に示すように、主モニタとセカンダリモニタを物理的に横に並べるスタイルにより仮想的に画像表示領域を拡大することを目的とするため、主モニタ用画像データ領域とセカンダリモニタ用画像データ領域が隣同士で接し、主モニタ領域からセカンダリモニタ領域への画像データの移動が容易に可能となる。即ち、主モニタに表示された画像データが容易にセカンダリモニタへはみ出すことにもなる。図１６に主モニタ用画像データ領域とセカンダリモニタ用画像データ領域の位置関係の一例を示す。各モニタ領域の座標位置は解像度数と原点座標（一般的にモニタ領域の左上座標）位置により決定される。図１６において、各モニタ領域の解像度数がともにＸＧＡサイズ（１０２４画素×７６８画素）とした場合、主モニタ領域が基準となるため、画像信号装置１０１における主モニタ領域の左上座標は、
（Ｘ，Ｙ）＝（０，０）
これより、主モニタ領域の右隣に配置されるセカンダリモニタ領域の左上座標は、
（Ｘ，Ｙ）＝（０＋１０２４，０）＝（１０２４，０）
となる。これより、主モニタ領域の右端とセカンダリモニタ領域の左端が全て接するため、任意の画像データを主モニタ領域からセカンダリモニタ領域へ移動させるには主モニタ領域の右端のいずれからでも容易に可能となる。つまり、操作者がプレゼンテーション中に主モニタ上に表示されている画像データを操作している際、誤ってその操作していた画像データの一部がセカンダリモニタ上にはみ出してしまう、つまり、スクリーンに投影されてしまうという問題点を有していた。
【０００９】
また、近年では、マルチモニタ機能を使用してプレゼンテーションを行う場合、任意のネットワーク網を介してプロジェクタに投射させることが増えてきている。このようなネットワーク機能を有するプロジェクタに、画像信号装置のセカンダリモニタ上で起動する所定のアプリケーションソフトの画像データを送る場合、画像信号装置からプロジェクタ上に表示される画像データの更新速度を高速化することが望まれていた。
【００１０】
本発明は上記従来の問題点を解決するもので、マルチモニタ機能を使用してプレゼンテーションを行う際、主モニタ上に表示されていた画像データが、操作者の意図と関わらずに誤ってセカンダリモニタ領域へはみ出して表示されることを防ぐ機能を備え、また、ネットワーク網を介してプロジェクタに投射させる場合の画像信号装置からプロジェクタ上に表示される画像データの更新速度を大幅に高速化した、ネットワーク機能を有するプロジェクタを使用したプレゼンテーションシステムおよびプレゼンテーション方法を提供することを目的とする。
【課題を解決するための手段】
【００１１】
本発明の請求項１に記載の発明は、パソコンに代表される画像信号装置と、前記画像信号装置と任意のネットワーク網で接続されたプロジェクタとから構成されるネットワーク機能を有するプロジェクタを使用したプレゼンテーションシステムにおいて、
前記画像信号装置は、
マルチモニタ機能により主モニタ用画像データ領域と第２のモニタ（セカンダリモニタ）用画像データ領域とを有する画像記憶手段と、前記画像記憶手段に格納された主モニタ用画像データを任意のモニタ上に表示する表示手段Ａと、前記セカンダリモニタ用画像データを取得し任意の画像フォーマットに変換する画像取得手段と、前記画像取得手段により変換された画像データを前記ネットワーク網を介して前記プロジェクタに転送する通信手段Ａと、前記画像記憶手段及び前記表示手段Ａ及び前記画像取得手段及び前記通信手段Ａを各々制御するマイクロプロセッサに代表される制御手段Ａとを有し、
前記プロジェクタは、
前記画像信号装置から転送された前記画像データを受信する通信手段Ｐと、
前記通信手段Ｐにより受信した前記画像データを任意のフォーマットに展開する画像展開手段と、
前記通信手段Ｐにより受信された前記画像データを前記画像展開手段によって一旦格納する記憶素子Ｐと、
前記画像展開手段により展開された画像データを入力とし任意の表示素子を通じてスクリーンに対し拡大投射する表示手段と、
前記通信手段Ｐ及び前記画像展開手段及び前記表示手段Ｐを各々制御するマイクロプロセッサに代表される制御手段Ｐとから構成され、
前記制御手段Ａは、前記セカンダリモニタ用画像データ領域を、前記主モニタ用画像データ領域の上あるいは下あるいは左上隅あるいは右上隅あるいは左下隅あるいは右下隅に配置し、
前記画像信号装置から転送された前記セカンダリモニタ用画像データを前記プロジェクタにて拡大投射することにより、マルチモニタ機能を使用したプレゼンテーションを可能とすることを特徴とするネットワーク機能を有するプロジェクタを使用したプレゼンテーションシステムとしたものであり、
マルチモニタ機能を使用してプレゼンテーションを行う際、前記主モニタ上に表示されていた画像データが、操作者の意図と関わらずに誤って前記プロジェクタ上へはみ出して表示されることを防ぐという作用を有する。
【００１２】
請求項２に記載の発明は、前記画像信号装置において、前記制御手段Ａは、前記セカンダリモニタ用画像データ領域を前記主モニタ用画像データ領域と一点のみで接して配置することを特徴とする請求項１記載のネットワーク機能を有するプロジェクタを使用したプレゼンテーションシステムとしたものであり、
マルチモニタ機能を使用してプレゼンテーションを行う際、前記主モニタ上に表示されていた画像データが、操作者の意図と関わらずに誤って前記セカンダリモニタ上にはみ出して表示されることを防ぐという作用を有する。
【００１３】
請求項３に記載の発明は、前記画像信号装置において、前記制御手段Ａは、前記セカンダリモニタ用画像データ領域が前記主モニタ用画像データ領域に対して配置されている位置を検出し、前記主モニタ用画像データが前記セカンダリモニタ用画像データ領域と接している点及びその周囲の画像データ領域上に任意の画像を重畳する画像重畳手段を備えたことを特徴とする請求項１または請求項２記載のネットワーク機能を有するプロジェクタを使用したプレゼンテーションシステムとしたものであり、
主モニタ領域とセカンダリモニタ領域との接点を主モニタ上に表示させることにより、操作者が容易に、マウスに代表されるポインタデバイスの表示カーソル画像を主モニタ領域からセカンダリモニタ領域へ移動可能とする作用を有する。
【００１４】
請求項４に記載の発明は、前記画像信号装置において、前記制御手段Ａは、前記通信手段Ａを介して前記プロジェクタの表示解像度数を検出し、前記セカンダリモニタ用画像データ領域の解像度数を前記プロジェクタの表示解像度数に等しくすることを特徴とする請求項１乃至請求項３のいずれかに記載のネットワーク機能を有するプロジェクタを使用したプレゼンテーションシステムとしたものであり、
セカンダリモニタ用画像データ領域の解像度数を自動的に設定する作用を有する。
【００１５】
請求項５に記載の発明は、パソコンに代表される画像信号装置と、前記画像信号装置と任意のネットワーク網で接続されたプロジェクタとから構成されるネットワーク機能を有するプロジェクタを使用したプレゼンテーションシステムにおいて、
前記画像信号装置は、
マルチモニタ機能により主モニタ用画像データ領域と第２のモニタ（セカンダリモニタ）用画像データ領域とを有する画像記憶手段と、前記画像記憶手段に格納された主モニタ用画像データを任意のモニタ上に表示する表示手段Ａと、前記セカンダリモニタ用画像データを取得し任意の画像フォーマットに変換する画像取得手段と、前記画像取得手段により変換された画像データを前記ネットワーク網を介して前記プロジェクタに転送する通信手段Ａと、前記画像記憶手段及び前記表示手段Ａ及び前記画像取得手段及び前記通信手段Ａを各々制御するマイクロプロセッサに代表される制御手段Ａとを有し、
前記プロジェクタは、
前記画像信号装置から転送された前記画像データを受信する通信手段Ｐと、
前記通信手段Ｐにより受信した前記画像データを任意のフォーマットに展開する画像展開手段と、
前記通信手段Ｐにより受信された前記画像データを前記画像展開手段によって一旦格納する記憶素子Ｐと、
前記画像展開手段により展開された画像データを入力とし任意の表示素子を通じてスクリーンに対し拡大投射する表示手段と、
前記通信手段Ｐ及び前記画像展開手段及び前記表示手段Ｐを各々制御するマイクロプロセッサに代表される制御手段Ｐとから構成され、
前記制御手段Ａは、所定のアプリケーションソフトが前記セカンダリモニタ用画像データ領域上で起動した場合、その前記セカンダリモニタ用画像データ領域の解像度数を前記プロジェクタの表示解像度数より小さくし、
前記プロジェクタにおいて、前記制御手段Ｐは、前記画像信号装置から前記ネットワーク網を介して転送された前記セカンダリモニタ用画像データ領域の解像度数の情報を検出し、前記セカンダリモニタ用画像データ領域の解像度数の情報において、前記プロジェクタの表示解像度数より前記セカンダリモニタ用画像データ領域の解像度数が小さい場合、前記画像信号装置から転送されたセカンダリモニタ用画像データを前記プロジェクタの表示解像度数まで拡大する画像拡大手段を備えたことにより、マルチモニタ機能を使用したプレゼンテーションを可能とすることを特徴とするネットワーク機能を有するプロジェクタを使用したプレゼンテーションシステムとしたものであり、
所定のアプリケーションソフトが起動した時、セカンダリモニタ用画像データ領域の解像度数を下げることにより、画像信号装置からプロジェクタへ転送する画像データ量を減らしプロジェクタ上に表示される画像データの更新速度を高速に行わせる作用を有する。
【００１６】
請求項６に記載の発明は、前記画像信号装置において、前記制御手段Ａは、マウスに代表されるポインタデバイスの表示領域が前記主モニタ用画像データ領域に配置されているか前記セカンダリモニタ用画像データ領域に配置されているかを検出し、前記セカンダリモニタ用画像データ領域に前記ポインタデバイスの表示領域が配置されている場合に前記ポインタデバイスの表示座標位置データを前記プロジェクタに通知する手段を有し、
前記プロジェクタにおいて、前記制御手段Ｐは、前記ポインタデバイスの表示座標位置データを前記画像信号装置から受信したときのみ所定のポインタ画像データを前記画像展開手段により展開された画像データに重畳し前記表示手段Ｐに出力する手段を備えたことを特徴とする請求項１乃至請求項５のいずれかに記載のネットワーク機能を有するプロジェクタを使用したプレゼンテーションシステムとしたものであり、
プロジェクタ上においてポインタデバイスの表示を高速に表示する作用を有する。
【００１７】
請求項７に記載の発明は、前記画像信号装置において、前記画像記憶手段内部に前記主モニタ用画像データ領域及び前記セカンダリモニタ用画像データ領域の他に第３の外部モニタ用画像データ領域が存在する場合、前記第３の外部モニタ用画像データ領域の動作を停止させる手段を備えたことを特徴とする請求項１乃至請求項６のいずれかに記載のネットワーク機能を有するプロジェクタを使用したプレゼンテーションシステムとしたものであり、
プレゼンテーション用スライドを表示させる外部モニタを選択する際、操作者がどの外部モニタを選択すればよいかを容易に判断可能とする作用を有する。
【００１８】
請求項８に記載の発明は、前記画像信号装置において、前記主モニタ用画像データ領域上に表示された任意の画像データを前記セカンダリモニタ用画像データ領域へ移動させる際、前記主モニタ用画像データ領域上に表示された前記画像データのサイズが前記セカンダリモニタ用画像データ領域のサイズよりも大きい場合、前記主モニタ用画像データ領域上に表示された前記画像データのサイズを前記セカンダリモニタ用画像データ領域のサイズ以下に縮小した後に前記セカンダリモニタ用画像データ領域へ移動する手段を備えたことを特徴とする請求項１乃至請求項７のいずれかに記載のネットワーク機能を有するプロジェクタを使用したプレゼンテーションシステムとしたものであり、
操作者が、所望の画像データを主モニタ領域からセカンダリモニタ領域へ移動させた際、セカンダリモニタ領域から画像データがはみ出すことを防ぐ作用を有する。
【００１９】
請求項９記載の発明は、画像信号装置において、マルチモニタ機能を使用するか否かを判定する判定ステップと、前記判定ステップにおいてマルチモニタ機能を使用すると判定した場合に、セカンダリモニタ用画像データ領域を、主モニタ用画像データ領域の上あるいは下あるいは左上隅あるいは右上隅あるいは左下隅あるいは右下隅に配置するセカンダリモニタ使用処理ステップと、前記判定ステップにおいてマルチモニタ機能を使用しないと判定した場合に、前記セカンダリモニタ用画像データ領域と前記主モニタ用画像データ領域とを同一とするセカンダリモニタ未使用処理ステップと、前記セカンダリモニタ使用処理ステップ或いは前記セカンダリモニタ未使用処理ステップを実行後に任意の画像データを取得する画像取得ステップと、前記画像取得ステップにより取得された画像データをプロジェクタへ送信する画像転送ステップとを備えたことを特徴とするネットワーク機能を有するプロジェクタを使用したプレゼンテーション方法としたものであり、
マルチモニタ機能を使用してプレゼンテーションを行う際、主モニタ上に表示されていた画像データが、操作者の意図と関わらずに誤ってプロジェクタ上へはみ出して表示されることを防ぐという作用を有する。
【００２０】
請求項１０記載の発明は、前記セカンダリモニタ使用処理ステップにおいて、前記セカンダリモニタ用画像データ領域を前記主モニタ用画像データ領域と一点のみで接して配置する工程を備えたことを特徴とする請求項９記載のネットワーク機能を有するプロジェクタを使用したプレゼンテーション方法としたものであり、
マルチモニタ機能を使用してプレゼンテーションを行う際、主モニタ上に表示されていた画像データが、操作者の意図と関わらずに誤って前記セカンダリモニタ上にはみ出して表示されることを防ぐという作用を有する。
【００２１】
請求項１１記載の発明は、前記セカンダリモニタ使用処理ステップ実行後に、前記セカンダリモニタ用画像データ領域が前記主モニタ用画像データ領域に対して配置されている位置を検出し、前記主モニタ用画像データが前記セカンダリモニタ用画像データ領域と接している点及びその周囲の画像データ領域上に任意の画像を重畳した後に前記画像取得ステップを実行する画像重畳ステップを備えたことを特徴とする請求項９または請求項１０記載のネットワーク機能を有するプロジェクタを使用したプレゼンテーション方法としたものであり、
主モニタ領域とセカンダリモニタ領域との接点を主モニタ上に表示させることにより、操作者が容易にマウスに代表されるポインタデバイスの表示カーソル画像を主モニタ領域からセカンダリモニタ領域へ移動可能とする作用を有する。
【００２２】
請求項１２記載の発明は、前記判定ステップにおいてマルチモニタ機能を使用すると判定した場合に、前記プロジェクタの表示解像度数を検出し、前記セカンダリモニタ用画像データ領域の解像度数を前記プロジェクタの表示解像度数に等しくした後に前記セカンダリモニタ使用処理ステップを実行する表示解像度数設定ステップを備えたことを特徴とする請求項９乃至請求項１１のいずれかに記載のネットワーク機能を有するプロジェクタを使用したプレゼンテーション方法としたものであり、
セカンダリモニタ用画像データ領域の解像度数を自動的に設定する作用を有する。
【００２３】
請求項１３記載の発明は、前記画像信号装置において、マルチモニタ機能を使用するか否かを判定する判定ステップと、前記判定ステップにおいてマルチモニタ機能を使用すると判定した場合に、セカンダリモニタ用画像データ領域を主モニタ用画像データ領域近傍に配置するセカンダリモニタ使用処理ステップと、前記判定ステップにおいてマルチモニタ機能を使用しないと判定した場合に、前記セカンダリモニタ用画像データ領域と前記主モニタ用画像データ領域とを同一とするセカンダリモニタ未使用処理ステップと、前記セカンダリモニタ使用処理ステップ或いは前記セカンダリモニタ未使用処理ステップを実行後に任意の画像データを取得する画像取得ステップと、前記画像取得ステップにより取得された画像データをプロジェクタへ送信する画像転送ステップとを備え、前記セカンダリモニタ使用処理ステップ実行後に所定のアプリケーションソフトが前記セカンダリモニタ用画像データ領域上で起動しているか否かを判定し、前記所定のアプリケーションソフトが前記セカンダリモニタ用画像データ領域上で起動していないと判定した場合は前記画像取得ステップを実行するアプリケーション起動判定ステップと、前記アプリケーション起動判定ステップにおいて所定のアプリケーションソフトが前記セカンダリモニタ用画像データ領域上で起動していると判定した場合に、セカンダリモニタ用画像データ領域の解像度数を前記プロジェクタの表示解像度数より小さくした後に前記画像取得ステップを実行する解像度縮小ステップと、
前記プロジェクタにおいて、前記画像信号装置から転送された前記セカンダリモニタ用画像データ領域の解像度数と前記プロジェクタの表示解像度数とを比較する解像度数比較ステップと、前記解像度数比較ステップにおいて前記プロジェクタの表示解像度数より前記セカンダリモニタ用画像データ領域の解像度数が小さい場合に、前記画像信号装置から転送されたセカンダリモニタ用画像データを前記プロジェクタの表示解像度数まで拡大する画像拡大ステップを備えたことを特徴とするネットワーク機能を有するプロジェクタを使用したプレゼンテーション方法としたものであり、
所定のアプリケーションソフトが起動した時、セカンダリモニタ用画像データ領域の解像度数を下げることにより、画像信号装置からプロジェクタへ転送する画像データ量を減らしプロジェクタ上に表示される画像データの更新速度を高速に行わせる作用を有する。
【００２４】
請求項１４記載の発明は、前記画像信号装置において、前記セカンダリモニタ使用処理ステップ実行後に、マウスに代表されるポインタデバイスの表示領域が前記主モニタ用画像データ領域に配置されているか前記セカンダリモニタ用画像データ領域に配置されているかを判定するポインタ位置判定ステップと、前記ポインタ位置判定ステップにおいて前記セカンダリモニタ用画像データ領域に前記ポインタデバイスの表示領域が配置されている場合に、前記ポインタデバイスの表示座標位置データを前記プロジェクタに通知するポインタ位置通知ステップと、
前記プロジェクタにおいて、前記ポインタ位置通知ステップにより前記ポインタデバイスの表示座標位置データを前記画像信号装置から受信したときのみ所定のポインタ画像データを重畳するポインタ画像重畳ステップを備えたことを特徴とする請求項９乃至請求項１３のいずれかに記載のネットワーク機能を有するプロジェクタを使用したプレゼンテーション方法としたものであり、
プロジェクタ上においてポインタデバイスの表示を高速に表示する作用を有する。
【００２５】
請求項１５記載の発明は、前記セカンダリモニタ使用処理ステップ実行後に、前記画像記憶手段内部に前記主モニタ用画像データ領域及び前記セカンダリモニタ用画像データ領域の他に第３の外部モニタ用画像データ領域が存在した場合に、前記第３の外部モニタ用画像データ領域の動作を停止させる外部モニタ判定ステップを備えたことを特徴とする請求項９乃至請求項１４のいずれかに記載のネットワーク機能を有するプロジェクタを使用したプレゼンテーション方法としたものであり、
プレゼンテーション用スライドを表示させる外部モニタを選択する際、操作者がどの外部モニタを選択すればよいかを容易に判断可能とする作用を有する。
【００２６】
請求項１６記載の発明は、前記画像信号装置において、前記セカンダリモニタ使用処理ステップ実行後に前記主モニタ用画像データ領域上に表示された任意の画像データを前記セカンダリモニタ用画像データ領域へ移動させるか否かを判定する画像データ移動判定ステップと、前記画像データ移動判定ステップにおいて前記主モニタ用画像データ領域上に表示された任意の画像データが前記セカンダリモニタ用画像データ領域へ移動すると判定された場合に前記主モニタ用画像データ領域上に表示された前記画像データのサイズと前記セカンダリモニタ用画像データ領域のサイズとを比較する画像サイズ比較ステップと、前記画像サイズ比較ステップにおいて前記主モニタ用画像データ領域上に表示された前記画像データのサイズが前記セカンダリモニタ用画像データ領域のサイズよりも大きいと判定した場合に、前記主モニタ用画像データ領域上に表示された前記画像データのサイズを前記セカンダリモニタ用画像データ領域のサイズ以下に縮小した後に前記セカンダリモニタ用画像データ領域へ移動する画像サイズ縮小ステップを備えたことを特徴とする請求項９乃至請求項１５のいずれかに記載のネットワーク機能を有するプロジェクタを使用したプレゼンテーション方法としたものであり、
操作者が、所望の画像データを主モニタ領域からセカンダリモニタ領域へ移動させた際、セカンダリモニタ領域から画像データがはみ出すことを防ぐ作用を有する。
【発明の効果】
【００２７】
以上のように本発明は、マルチモニタ用出力端子を有しない画像信号装置においてもマルチモニタ機能を使用したプレゼンテーションが可能となるとともに、画像信号装置の主モニタ上に表示されている画像データが操作者の意図とは関係なく誤ってセカンダリモニタ領域であるプロジェクタ上にはみ出すことを防ぐという優れた効果が得られる。
【００２８】
また、所定のアプリケーションソフトが起動したときのみセカンダリモニタの解像度数を小さくすることにより、プロジェクタ上に表示される画像データの更新速度を大幅に高速化可能とする優れた効果が得られる。
【発明を実施するための最良の形態】
【００２９】
以下、本発明の実施の形態について、図１から図１４を用いて説明する。
【００３０】
（実施の形態１）
図１は本発明の実施の形態１におけるネットワーク機能を有するプロジェクタを使用したプレゼンテーションシステムの構成図である。
【００３１】
図１において、１はパソコンに代表される画像信号装置、２はプロジェクタ、３は画像信号装置１とプロジェクタ２をイーサネット（登録商標）等で接続する任意のネットワーク網、４はプロジェクタ２から拡大投射された画像データを投影するスクリーンである。
【００３２】
図２は、画像信号装置１及びプロジェクタ２の内部構成図である。
【００３３】
図２において、１３はマルチモニタ機能により主モニタ用画像データ領域とセカンダリモニタ用画像データ領域とを有する画像記憶手段、１４は画像記憶手段１３に格納された主モニタ用画像データを任意のモニタ上に表示する表示手段Ａ、１２はセカンダリモニタ用画像データを取得しＪＰＥＧ形式等の任意の画像フォーマットに変換する画像取得手段、１１は画像取得手段１２により任意の画像フォーマットに変換された画像データをネットワーク網３を介してプロジェクタ２に転送する通信手段Ａ、１０は画像記憶手段１３及び表示手段Ａ１４及び画像取得手段１２及び通信手段Ａ１１を各々制御するマイクロプロセッサに代表される制御手段Ａ、２１は画像信号装置１から転送された画像データをネットワーク網３を介して受信する通信手段Ｐ、２２は通信手段Ｐ２１により受信した画像データを任意の画像フォーマットに展開する画像展開手段、２３は通信手段Ｐ２１から入力された画像データを一旦格納する記憶素子Ｐ、２４は画像展開手段２２により展開された画像データを液晶パネル或いはＤＬＰパネルに代表される表示素子を通じてスクリーン４に対して拡大投射する表示手段Ｐ、２０は通信手段Ｐ２１及び画像展開手段２２及び表示手段Ｐ２４を各々制御するマイクロプロセッサに代表される制御手段Ｐである。
【００３４】
以上のように構成されたネットワーク機能を有するプロジェクタを使用したプレゼンテーションシステムについてその動作を図３及び図４を用いて説明する。
【００３５】
まず、ネットワーク網３上で画像信号装置１とプロジェクタ２を接続する（ステップＳ１）。この接続方法としては、例えばネットワーク網３としてイーサネット（登録商標）を使用している場合、画像信号装置１とプロジェクタ２に同一グループの固定ＩＰアドレスを事前に与える方法がある。その一例を以下に示す。
【００３６】
画像信号装置１側の設定
ＩＰ：１９２．１６８．１６．１
サブネットマスク：２５５．２５５．２５５．０
プロジェクタ２側の設定
ＩＰ：１９２．１６８．１６．１００
サブネットマスク：２５５．２５５．２５５．０
また、画像信号装置１或いはプロジェクタ２のいずれかがＤＨＣＰサーバとなり、任意のネットワーク網３に接続された装置に対してＩＰアドレスを割り振る方法でも接続は可能となる。更に、ネットワーク網３として無線ネットワークを使用した場合、アドホック接続により画像信号装置１とプロジェクタ２を接続可能となる。通常、プロジェクタ２をスタンバイ電源状態から起動させる際、ランプの点灯動作を行うが、このランプを点灯する駆動回路は高電圧回路であり、駆動時にノイズがプロジェクタ２内部に伝搬する。即ち、このランプ点灯動作中はステップＳ１が正常に行えない場合がある。そこで、画像信号装置１は、プロジェクタ２に搭載されたランプの点灯動作を常時検出し、前記ランプが点灯された後に再度ステップＳ１の動作を行う。
【００３７】
このように画像信号装置１とプロジェクタ２が任意のネットワーク網３を介して接続された後、画像信号装置１はプロジェクタ２上に主モニタ領域の画像データを表示させるかセカンダリモニタ領域の画像データを表示させるかを検出する（ステップＳ２）。一般に、プロジェクタ２に表示させる画像データを主モニタ用画像データにするかセカンダリモニタ用画像データにするかの選択は操作者が任意のアプリケーションソフトを使用して可能である。ステップＳ２において、主モニタ用画像データをプロジェクタ２上に投射すると操作者が選択した場合、
画像信号装置１上の表示（主モニタ）画像＝プロジェクタ２からの投射画像
となるため、画像信号装置１から見たプロジェクタ２上に表示される画像領域の座標位置は画像信号装置１上の表示座標位置と一致する（ステップＳ３）。即ち、ステップＳ３において、プロジェクタ２からの投射画像の左上の座標位置は画像信号装置１上の表示画像の左上の座標位置である
（Ｘ，Ｙ）＝（０，０）
となる。一方、ステップＳ２において、マルチモニタ機能を使用してセカンダリモニタ用画像データをプロジェクタ２から投射する場合、図４に示すように画像信号装置１上の表示画像領域である主モニタ領域の左上にプロジェクタ２からの投射画像領域が配置される（ステップＳ４）。ここで、プロジェクタ２の表示解像度数がＸＧＡサイズ（１０２４画素×７６８画素）であった場合、セカンダリモニタ領域の左上の座標位置は、
（Ｘ，Ｙ）＝（０−１０２４，０−７６８）＝（−１０２４，−７６８）
となるため、制御手段Ａ１０はセカンダリモニタ領域の位置情報として、
１）解像度数＝１０２４画素×７６８画素
２）左上座標位置＝（−１０２３，−７６８）
を設定するのみで図４の状態を容易に実現可能となる。
【００３８】
このように、セカンダリモニタ領域を主モニタ領域の左上隅に制御手段Ａ１０により一点で接するように配置することで、主モニタ領域からプロジェクタ２上に表示する画像領域となるセカンダリモニタ領域へ任意のアプリケーション画像データを移動させるには、両領域が接している一点を通過するように操作者がアプリケーション画像データを移動させる必要がある。即ち、マルチモニタ機能を使用したプレゼンテーションにおいて、操作者がプレゼンテーション中に主モニタ上に表示していた画像データが操作者の意図に関わらず誤ってプロジェクタ２上にはみ出して表示される可能性を抑えることが可能となる。図４は、主モニタ領域の左上隅にセカンダリモニタ領域を配置しているが、主モニタの右上隅や左下隅あるいは右下隅に配置しても同様な効果を得る。また、図４において、主モニタ領域とセカンダリモニタ領域は一点で接している例を示したが、一点に限らず二点あるいは三点のみで接した場合においても、前記アプリケーション画像データを主モニタ領域からセカンダリモニタ領域へ移動させるためには操作者がその接している位置を意識し、その接点位置上をアプリケーション画像データが通過するように移動させねばならず同様な効果を得る。例えば、二点で接する場合、制御手段Ａ１０でセカンダリモニタ領域の位置情報として、
１）解像度数＝１０２４画素×７６８画素
２）左上座標位置＝（−１０２４，−７６８）
とすれば、２点で接することになる。
【００３９】
また、画像信号装置１として一般に広く普及しているウィンドウズ（登録商標）ＰＣを使用し、セカンダリモニタ領域の左上座標位置の水平座標が０以下の値を取った場合、プロジェクタ２上に表示させる画像をセカンダリモニタ領域から主モニタ領域へ切り換えた時、画像信号装置１に表示される画像が一瞬左右に動く時がある。このような不具合を解消するため、セカンダリモニタ領域を上に配置する場合、
上座標位置＝（０，−７６８）
とせずに、例えば、
上座標位置＝（１０，−７６８）
のように若干右側に水平座標位置を移動させることにより、上述のようにプロジェクタ２上に表示させる画像をセカンダリモニタ領域から主モニタ領域へ切り換えた時、画像信号装置１に表示される画像が一瞬左右に動くといった不具合を容易に解決可能となる。
【００４０】
このように、ステップＳ３あるいはステップＳ４によって配置が確定されたセカンダリモニタ領域内の画像データを画像記憶手段１３から制御手段Ａ１０によって画像取得手段１２に取得される（ステップＳ５）。ステップＳ５において取得された画像データは、通信手段Ａ１１へ転送され、任意のネットワーク網３を経由してプロジェクタ２へ転送される（ステップＳ６）。一般に、ステップＳ５において取得された画像データは任意の圧縮フォーマットでデータ容量を削減して通信手段Ａ１１へ転送する。これは、ネットワーク網３を使用した場合、転送する画像データ容量が少ないほど高速に画像転送を行うことが可能となるためである。また、画像データの圧縮フォーマットとしては、ＪＰＥＧやＭＰＥＧ４が一般的に使用されている。ステップＳ６においてプロジェクタ２に転送された画像データは、通信手段Ｐ２１で受信され、画像展開手段２２を経由して記憶素子Ｐ２３に格納される。このように記憶素子Ｐ２３に格納された任意のフォーマットで圧縮された前記画像データは画像展開手段２２により展開される（ステップＳ７）。ステップＳ７により画像展開された後、表示手段Ｐ２４によりプロジェクタ２からスクリーン４に対し所望の画像データが投射、表示される（ステップＳ８）。
【００４１】
また、プロジェクタ２から投射されるセカンダリモニタ領域の配置位置は、ステップＳ４により、操作者がマルチモニタ機能を使用すると選択したと同時に自動的に決定されるため、通常、操作者は主モニタ領域とセカンダリモニタ領域との位置関係を知らない。このように双方の画像領域の位置関係が不明な場合、操作者が主モニタからセカンダリモニタへ所望のアプリケーション画像データを移動させることができないという不具合が生じる。そこで、主モニタからセカンダリモニタへ移動するアプリケーションソフトを起動し、そのソフトを操作者が使用することにより前述の課題が解消可能となる。その例を次に示す。図４において、主モニタに表示されたアプリケーション画像データ（停止マークのウィンドウ画像）をセカンダリモニタに移動させる場合、主モニタに表示されたアプリケーション画像データの左上座標位置が、
（Ｘ，Ｙ）＝（３００，１６０）
の時、制御手段Ａ１０により、この座標位置を、
（Ｘ，Ｙ）＝（３００−１０２４，１６０−７６８）＝（−７２４，−６０８）
と変換することにより、アプリケーション画像データを移動可能となる。即ち、操作者は主モニタとセカンダリモニタとの位置関係を把握していなくても双方の領域間でアプリケーション画像データの移動を容易に行わせることが可能となる。
【００４２】
尚、画像取得手段１２は、プロジェクタ２上に表示される画像データを常に全て取得する必要はなく、変化のあった画像データのみを取得しネットワーク網３を介してプロジェクタ２へ転送しても同様な効果を得る。
【００４３】
以上のように本実施の形態によれば、マルチモニタ機能を使用する際、プロジェクタ２から投射されるセカンダリモニタ領域を主モニタ領域の左上隅に一点で接するように配置することにより、プレゼンテーション中に主モニタ上に表示していた画像データが操作者の意図に関わらず誤ってプロジェクタ２からスクリーン４に対してはみ出して表示されることを防ぐことが可能となる。
【００４４】
（実施の形態２）
図５は本発明の実施の形態２におけるネットワーク機能を有するプロジェクタを使用したプレゼンテーションシステムの構成図である。尚、前述した実施の形態と同じ構成については同一の符号を用い、説明を省略する。
【００４５】
図５において、１５は画像信号装置１上の主モニタ画像上に主モニタとセカンダリモニタとの接点位置を操作者に認識させる任意の画像データを重畳する画像重畳手段である。
【００４６】
以上のように構成された本発明のネットワーク機能を有するプロジェクタを使用したプレゼンテーションシステムについて、以下その動作を図６及び図７を用いて説明する。
【００４７】
ステップＳ２において、マルチモニタ機能を使用すると制御手段Ａ１０が検出した場合、制御手段Ａ１０はセカンダリモニタ領域を主モニタ領域の左上隅に配置する（ステップＳ４）。次に、制御手段Ａ１０は主モニタ用画像データ上において、主モニタ領域とセカンダリモニタ領域との接点付近に任意の画像データを重畳し、操作者に対し主モニタ領域とセカンダリモニタ領域の接点位置を一目で認識可能とさせる（ステップＳ９）。図７にステップＳ９の動作の一例を示す。図７において、主モニタ領域とセカンダリモニタ領域は主モニタ領域の左上隅の座標（０，０）の一点で接しているため、画像重畳手段１５は主モニタ用画像データの左上隅にドアのマークの画像データを上書きして重畳する。このドアのマークの画像データが接点位置ということを操作者が認識することにより、特別なアプリケーションソフトを使用しなくても、操作者は迷うことなく前記ドアのマークの上を移動するようにマウスカーソルを操作することにより、主モニタからセカンダリモニタへマウスカーソルを移動可能となる。また、図７に示すように、両モニタ領域の接点位置を表示する画像データをドアのマークとした場合、マウスカーソルが主モニタ側に存在する時はドアが閉じた状態の画像データとし、マウスカーソルがセカンダリモニタ側に存在する時はドアが開いた状態の画像データとすることにより、操作者はそのドアのマークの画像データを見るだけで現在マウスカーソルが存在しているモニタ領域を一目で認識可能となる。このようにステップＳ９で重畳する画像データの種類を複数用意することにより現在のプレゼンテーションの状態を一目で確認することも可能となる。
【００４８】
尚、ステップＳ９で重畳する画像データを半透明色の画像データとすることにより、重畳した画像データの下に隠れる主モニタ画像データを表示可能となる。また、ステップＳ９で重畳する画像データが存在する画像レイヤーを主モニタ用画像データが表示されている画像レイヤーと異ならせることにより、ステップＳ９で重畳する画像データの下に隠れる主モニタの画像データをいちいち他の画像記憶素子に保存する必要が無くなる。
【００４９】
以上のように本実施の形態によれば、画像重畳手段１５により主モニタとセカンダリモニタの接点位置に任意の画像データを重畳させて表示することにより、操作者は主モニタ領域とセカンダリモニタ領域との位置関係を容易に把握でき、マウスカーソルを両モニタ領域間で容易に移動させることが可能となる。
【００５０】
（実施の形態３）
図８は本発明の実施の形態３におけるネットワーク機能を有するプロジェクタを使用したプレゼンテーションシステムの動作フローチャートである。尚、前述した実施の形態と同じ構成については同一の符号を用い、説明を省略する。
【００５１】
図８において、ステップＳ１により画像信号装置１とプロジェクタ２が任意のネットワーク網３を介して接続された後、画像信号装置１は通信手段Ａ１１からプロジェクタ２の通信手段Ｐ２１に対しプロジェクタ２の画像表示解像度数を問い合わせる。プロジェクタ２の表示解像度数はプロジェクタ２に搭載される表示手段Ｐ２４にある表示素子の解像度数に依存するため、その表示素子の解像度数を制御手段Ｐ２０から通信手段Ｐ２１を介して画像信号装置１へ通知する（ステップＳ１０）。ステップＳ２によりマルチモニタ機能を使用すると検出した制御手段Ａ１０は、プロジェクタ２に割り当てるセカンダリモニタの解像度数をステップＳ１０の結果を基にプロジェクタ２の表示解像度数に自動的に設定することが可能となる（ステップＳ１１）。
【００５２】
尚、プロジェクタ２がランプの起動中や表示モードの切り替えでプロジェクタ２の内部にノイズが大きく発生している時にステップＳ１０の動作を行うと、プロジェクタ２の表示解像度数が正常に画像信号装置１に伝達されない可能性がある。そこで、プロジェクタ２が前述のような動作に入る直前あるいは直後にプロジェクタ２から画像信号装置１に対してその状態を通知することにより、画像信号装置１はプロジェクタ２に対して所定の時間が経過あるいはプロジェクタ２から通信可能という通知を再度受信した後にステップＳ１０を実行しても良い。
【００５３】
以上のように本実施の形態によれば、画像信号装置１とプロジェクタ２とを接続したときにプロジェクタ２の表示解像度数を画像信号装置１に通知する手段を有することにより、画像信号装置１は自動的にセカンダリモニタの解像度数を決定することが可能となる。即ち、操作者はセカンダリモニタの解像度数をいちいち手動での設定が不要となる。
【００５４】
（実施の形態４）
図９は本発明の実施の形態４におけるネットワーク機能を有するプロジェクタを使用したプレゼンテーションシステムの構成図である。尚、前述した実施の形態と同じ構成については同一の符号を用い、説明を省略する。
【００５５】
図９において、２５はプロジェクタ２において、画像展開手段２２により任意のフォーマットに展開された画像データを表示手段Ｐ２４の表示解像度数に合わせて拡大処理を行う画像拡大手段である。
【００５６】
以上のように構成された本発明のネットワーク機能を有するプロジェクタを使用したプレゼンテーションシステムについて、以下その動作を図１０を用いて説明する。
【００５７】
まず、ステップＳ２でマルチモニタ機能を使用すると制御手段Ａ１０が検出を行い、ステップＳ４で所望の位置にセカンダリモニタが配置される。その後、所定のアプリケーションソフトがセカンダリモニタ領域上で起動されたか否かを制御手段Ａ１０が常時検出を行う（ステップＳ１２）。ステップＳ１２において、所定のアプリケーションソフトが起動されたと制御手段Ａ１０が検出を行った場合、制御手段Ａ１０は、セカンダリモニタの解像度数をプロジェクタ２の表示解像度数より小さく設定する（ステップＳ１３）。例えば、プロジェクタ２の表示解像度数がＸＧＡサイズ（１０２４画素×７６８画素）の時、制御手段Ａ１０はステップＳ１３において、セカンダリモニタの解像度数をＶＧＡサイズ（６４０画素×４８０画素）とすることにより、解像度数をＸＧＡサイズの４割程度に縮小可能となる。ここで、ステップＳ１２における所定のアプリケーションソフトとして、プレゼンテーション用アプリケーションソフトであるマイクロソフト社製のパワーポイントのスライドショーウィンドウを指定した場合、前記スライドショーウィンドウは表示モニタの解像度数に応じて自動的にスライドの表示サイズを合わせる機能を有しているため、セカンダリモニタ領域の解像度数を縮小させても、スライドショーウィンドウの画像データがセカンダリモニタ領域からはみ出すことはない。また、自動的にスライドショーウィンドウの表示サイズを表示モニタの解像度数に合わせる際、フォントデータのポイント数を変更する手法などを使用しているため、表示モニタの解像度数が小さくなったとしても、画像データの補間によって表示データ中の文字のエッジがぼけたりすることはない。
【００５８】
ステップＳ５において、ステップＳ１３でセカンダリモニタの解像度数を下げた状態で画像取得手段１２により画像データの取得を行う。ステップＳ５で取得された画像データは、ステップＳ６によりプロジェクタ２に転送され、ステップＳ７で画像展開手段２２にて所望のフォーマットに画像展開される。ここで、ステップＳ５あるいはステップＳ６において、画像取得手段１２により取得された画像データのモニタサイズ情報が、制御手段Ａ１０より転送される画像データに付与される。
【００５９】
画像展開手段２２により展開された画像データを入力した画像拡大手段２５は、制御手段Ｐ２０により、前記画像データに付与された前記モニタサイズ情報の内容を検出する（ステップＳ１４）。ステップＳ１４において、画像データに付与されたモニタサイズ情報がプロジェクタ２の表示解像度数より小さい場合、所望の拡大率で拡大処理を行う（ステップＳ１５）。例えば、図１０のステップＳ１３に示すようにプロジェクタ２の表示解像度数がＸＧＡサイズ（１０２４画素×７６８画素）の時、セカンダリモニタのモニタサイズ情報がＶＧＡサイズ（６４０画素×４８０画素）であった場合、画像拡大手段２５は、
水平拡大率：１０２４／６４０＝１．６倍
垂直拡大率：  ７６８／４８０＝１．６倍
と水平・垂直の拡大率をともに１．６倍とし、画像展開手段２２から出力された画像データを拡大することによりプロジェクタ２に搭載された表示素子の解像度数を合わせることが可能となる。ステップＳ１５における画像データの拡大方法としては、最近傍補間方法やバイリニア補間方法などが用いられる。上述の例のように水平拡大率と垂直拡大率が等しい場合はアスペクト比を変えずにプロジェクタ２から表示が可能となるが、例えば、プロジェクタ２に搭載された表示素子の表示解像度数がＳＸＧＡサイズ（１２８０画素×１０２４画素）の場合は、
水平拡大率：１２８０／６４０＝２．０倍
垂直拡大率：１０２４／４８０＝約２．１倍
となり、上記拡大率で拡大処理を行いプロジェクタ２から画像を投射した場合、縦長の画像データがスクリーン４上に表示され、聴講者に違和感を与える。そこで、このような不具合を解決するため、拡大率の小さい数字に合わせる方法がある。例えば、上述の例において、拡大率を
水平拡大率＝垂直拡大率＝２．０倍
とする。この場合、プロジェクタ２の表示画像データは垂直方向に
１０２４ライン−（４８０ライン×２．０）＝６４ライン
余る。そこで、この６４ラインを黒色画像データとし、スクリーン４に投射した際に中央に画像データが表示されるように６４ラインの半分である３２ラインずつを上下ラインに各々付け加える。また、逆に、拡大率の大きい数字に合わせる方法がある。例えば、上述の例においては、拡大率を
水平拡大率＝垂直拡大率＝１０２４／４８０倍
とする。この場合、プロジェクタ２の表示画像データは水平方向に
１２８０ドット−（６４０ドット×１０２４／４８０）＝−８５．３ドット
はみ出す。そこで、スクリーン４に投射した際に中央に画像データが配置されるように８６ドットの半分である４３ドットずつを左右削除する方法もある。
【００６０】
以上のように本実施の形態によれば、所定のアプリケーションソフトが起動されている時にセカンダリモニタの解像度数をプロジェクタ２の表示解像度数より小さくする手段を有することにより、画像信号装置１からプロジェクタ２へ画像データを転送する際、前記転送される画像データ量を大きく削減することができるため、転送速度を大幅に高める効果を有する。これは、画像伝送速度は、
画像データ容量／ネットワーク網３の転送能力
から算出され、ネットワーク網３の転送能力は固定であるため、必然的にモニタ解像度の面積比に比例する画像データ容量を削減することが転送速度の向上に有効となる。また、本実施の形態において、所定のアプリケーションソフトとしてマイクロソフト社製のパワーポイントのスライドショーウィンドウを指定した場合は、画像の劣化もほとんどなく効果が大きい。
【００６１】
（実施の形態５）
図１１は本発明の実施の形態５におけるネットワーク機能を有するプロジェクタを使用したプレゼンテーションシステムの動作フローチャートである。尚、前述した実施の形態と同じ構成については同一の符号を用い、説明を省略する。
【００６２】
まず、ステップＳ２でマルチモニタ機能を使用すると制御手段Ａ１０が検出を行い、ステップＳ４で所望の位置にセカンダリモニタが配置される。ここで、制御手段Ａ１０はマウスカーソルに代表されるポインタデバイスの表示データが主モニタ領域にあるのかセカンダリモニタ領域にあるのかを検出する（ステップＳ１６）。ステップＳ１６において、マウスカーソルがセカンダリモニタ領域にあると検出された場合、制御手段Ａ１０はその座標位置をプロジェクタ２へ通知する（ステップＳ１７）。マウスカーソルの座標位置の通知方法は、通信手段Ａ１１から任意のネットワーク網３を介してプロジェクタ２の通信手段Ｐ２１へ送信する方法により可能である。一方、ステップＳ１６において、マウスカーソルが主モニタ領域にある場合、プロジェクタ２へマウスカーソルの座標位置を通知しない。ステップＳ１７において、画像信号装置１が有している画像表示領域の座標の値をそのままマウスカーソル座標としてプロジェクタ２に転送した場合、例えば、
（Ｘ，Ｙ）＝（−３００，−４００）
といった負の座標値が画像信号装置１からプロジェクタ２へ転送され、
（０，０）〜（１０２４，７６８）
しか画像データの座標情報を有していないプロジェクタ２は、上記マウスカーソルの位置を確定することができず、マウスカーソル画像がプロジェクタ２上に表示されないという課題が生じる。そこで、先述の例を用いると、下記のようにマウスカーソルの座標位置変換を行った後にプロジェクタ２へデータ通知する方法を用いる。
【００６３】
（Ｘ，Ｙ）＝（−３００＋１０２４，―４００＋７６８）＝（７２４，３６８）
プロジェクタ２の制御手段Ｐ２０は、上記マウスカーソルの座標位置を受信したか否かを検出する（ステップＳ１８）。ステップＳ１８により所望の座標位置を受信したプロジェクタ２は、座標位置に所定のマウスカーソル画像をステップＳ７で任意のフォーマットに展開された画像データ上に重畳する（ステップＳ１９）。
【００６４】
ステップＳ１７において、マウスカーソル画像をステップＳ５で取得せずに座標位置としてプロジェクタ２へ転送する手法を用いるのは、本プレゼンテーションシステムのマウス操作をより操作者に快適に行わせるためである。これは、プロジェクタ２に転送する場合、画像データよりも座標位置とした方がネットワーク網３上に流れるデータ容量を非常に小さくすることが可能なためである。また、プロジェクタ２がセカンダリモニタ領域である場合、主モニタ領域にマウスカーソルが存在している時は、プロジェクタ２上にマウスカーソル画像の表示は不要であるため、マウスカーソル座標の通知を行ってはならない。これは、主モニタ領域が有する座標系は、プロジェクタ２が有する座標系と同じくモニタ領域の左上隅が
（Ｘ，Ｙ）＝（０，０）
となり、主モニタ領域上のマウスカーソルの座標位置をプロジェクタ２へそのまま転送した場合、その座標位置にマウスカーソル画像が見えるという不具合が生じるためである。尚、画像信号装置１からプロジェクタ２へ転送するマウスカーソルの座標位置情報にプロジェクタ２において表示させるか否かの情報を付加しても同様な効果を得る。
【００６５】
以上のように本実施の形態によれば、マウスカーソルがセカンダリモニタ領域にある場合、その座標位置をプロジェクタ２へ通知する手段を有することにより、マウスカーソルがプロジェクタ２上に存在するときのみプロジェクタ２上に表示させ、且つ、前記マウスカーソルの座標位置を転送することにより、本プレゼンテーションシステムの操作者にストレスを与えることなく、カーソル操作を行わせることが可能となる。
【００６６】
（実施の形態６）
図１２は本発明の実施の形態６におけるネットワーク機能を有するプロジェクタを使用したプレゼンテーションシステムの動作フローチャートである。尚、前述した実施の形態と同じ構成については同一の符号を用い、説明を省略する。
【００６７】
まず、ステップＳ２でマルチモニタ機能を使用すると制御手段Ａ１０が検出を行い、ステップＳ４で所望の位置にセカンダリモニタが配置される。制御手段Ａ１０は、ステップＳ４で配置したセカンダリモニタ及び主モニタ以外に画像信号装置１に接続可能な外部モニタの有無を検出する（ステップＳ２０）。ステップＳ２０において、外部モニタが他にも存在している場合、制御手段Ａ１０はその外部モニタに対し使用不可と設定する（ステップＳ２１）。このステップＳ２１により、プロジェクタ２を使用中は、必ず画像信号装置１がサポートするモニタは主モニタとプロジェクタ２に相当するセカンダリモニタの２種類のみとなる。このステップＳ２１の効果について図１３を用いて説明を行う。図１３は、画像信号装置１が複数の外部モニタをサポートしている時、プレゼンテーション用アプリケーションソフトとして一般的に使用されているマイクロソフト社製パワーポイントのスライドショーを表示させるモニタを操作者が選択するための選択図面例である。図１３に示すように、複数の外部モニタを画像信号装置１がサポートしている場合、同一のモニタ名称が表示され、操作者はどのモニタ名称がプロジェクタ２に相当するセカンダリモニタなのかが不明である。この選択画面で間違ったモニタ名称を選択すると、操作者が意図しないモニタ上にスライドを表示させることになる。そこで、ステップＳ２１のようにプロジェクタ２を使用中は、必ず画像信号装置１がサポートするモニタは主モニタとプロジェクタ２に相当するセカンダリモニタの２種類のみとすることにより、操作者は容易にプロジェクタ２に相当するセカンダリモニタを表示モニタとして選択可能となる。
【００６８】
以上のように本実施の形態によれば、外部モニタが複数存在している場合、制御手段Ａ１０は、プロジェクタ２に相当するセカンダリモニタ以外の外部モニタを使用不可とする手段を有することにより、プロジェクタ２の操作者は、容易にプロジェクタ２に相当するモニタを選択可能となり、プレゼンテーション用スライドをプロジェクタ２から表示可能となる。
【００６９】
（実施の形態７）
図１４は本発明の実施の形態７におけるネットワーク機能を有するプロジェクタを使用したプレゼンテーションシステムの動作フローチャートである。尚、前述した実施の形態と同じ構成については同一の符号を用い、説明を省略する。
【００７０】
まず、ステップＳ２でマルチモニタ機能を使用すると制御手段Ａ１０が検出を行い、ステップＳ４で所望の位置にセカンダリモニタが配置される。ここで、制御手段Ａ１０が主モニタ上に表示されているアプリケーション画像データをセカンダリモニタへ移動させる命令を検出した場合（ステップＳ２２）、制御手段Ａ１０は前記アプリケーション画像データの表示サイズを検出し、その検出した表示サイズがプロジェクタ２の表示解像度数より大きいか否かを判定する（ステップＳ２３）。ステップＳ２３において、アプリケーション画像データの表示サイズがプロジェクタ２の表示解像度数より大きい場合、制御手段Ａ１０は、アプリケーション画像データの表示サイズをプロジェクタ２の表示解像度数以下に縮小する（ステップＳ２４）。ステップＳ２４により縮小されたアプリケーション画像データは、制御手段Ａ１０により、前述の実施の形態１に示したような座標変換を行う（ステップＳ２５）。ステップＳ２５により、主モニタ上に表示されていたアプリケーション画像データはプロジェクタ２へ自動的に移動可能となる。
【００７１】
アプリケーション画像データの表示サイズがプロジェクタ２の表示解像度数より大きい時、そのままステップＳ２５によりプロジェクタ２へアプリケーション画像データを移動すると、プロジェクタ２の表示画面領域からアプリケーション画像データの一部がはみ出すといった不具合が生じる。例えば、主モニタ領域がＵＸＧＡサイズ（１６００画素×１２００画素）でセカンダリモニタ領域がＸＧＡサイズ（１０２４画素×７６８画素）である場合、ステップＳ４において、セカンダリモニタ領域の左上隅座標は、
（Ｘ，Ｙ）＝（−１０２４，−７６８）
となる。ここで、主モニタ上に表示されるアプリケーション画像のサイズが１２００画素×９００画素であり、且つ左上座標が
（Ｘ，Ｙ）＝（５０，１００）
である場合、ステップＳ２５における前記アプリケーション画像データの左上座標は、
（Ｘ，Ｙ）＝（５０−１０２４，１００−７６８）＝（−９７４，−６６８）
となる。この状態で、セカンダリモニタ領域に移動したアプリケーション画像データの右下隅の座標は、
（Ｘ，Ｙ）＝（−９７４＋１２００，−６６８＋９００）＝（２２６，２３２）
となり、上記座標位置は主モニタ領域上に配置される。即ち、主モニタからセカンダリモニタへ前記アプリケーション画像データを移動させたにも関わらず、その一部の画像データはセカンダリモニタへ移動せずに主モニタ側に残るという不具合が生じる。そこで、ステップＳ２４において、セカンダリモニタへ移動するアプリケーション画像データのサイズを常にセカンダリモニタ領域のサイズ以下にすることにより、上記不具合を解決可能とする。
【００７２】
以上のように本実施の形態によれば、主モニタからセカンダリモニタへ移動させるアプリケーション画像データの表示サイズがプロジェクタ２の表示解像度数より大きい場合、制御手段Ａ１０は、前記アプリケーション画像データのサイズをプロジェクタ２の表示解像度数以下に縮小する手段を有することにより、セカンダリモニタへ移動したアプリケーション画像データをセカンダリモニタ領域内に全て表示可能となる。
【産業上の利用可能性】
【００７３】
本発明にかかるネットワーク機能を有するプロジェクタを使用したプレゼンテーションシステムは、プレゼンテーション中に主モニタ上に表示していた画像が操作者の意図に関わらずプロジェクタからスクリーンに対して誤って投射される可能性を大幅に抑える効果を有し、今後、マルチモニタ機能を使用してのプレゼンテーションが一般的になると予測される中、ネットワーク機能を有したプロジェクタを使用したプレゼンテーションシステムとして有用である。
【図面の簡単な説明】
【００７４】
【図１】本発明の実施の形態１におけるネットワーク機能を有するプロジェクタを使用したプレゼンテーションシステムの構成図
【図２】同実施の形態１におけるネットワーク機能を有するプロジェクタを使用したプレゼンテーションシステムの内部構成図
【図３】同実施の形態１におけるネットワーク機能を有するプロジェクタを使用したプレゼンテーションシステムの動作説明図
【図４】同実施の形態１におけるネットワーク機能を有するプロジェクタを使用したプレゼンテーションシステムの動作説明図
【図５】本発明の実施の形態２におけるネットワーク機能を有するプロジェクタを使用したプレゼンテーションシステムの構成図
【図６】同実施の形態２におけるネットワーク機能を有するプロジェクタを使用したプレゼンテーションシステムの動作説明図
【図７】同実施の形態２におけるネットワーク機能を有するプロジェクタを使用したプレゼンテーションシステムの動作説明図
【図８】本発明の実施の形態３におけるネットワーク機能を有するプロジェクタを使用したプレゼンテーションシステムの動作説明図
【図９】本発明の実施の形態４におけるネットワーク機能を有するプロジェクタを使用したプレゼンテーションシステムの構成図
【図１０】同実施の形態４におけるネットワーク機能を有するプロジェクタを使用したプレゼンテーションシステムの動作説明図
【図１１】本発明の実施の形態５におけるネットワーク機能を有するプロジェクタを使用したプレゼンテーションシステムの動作説明図
【図１２】本発明の実施の形態６におけるネットワーク機能を有するプロジェクタを使用したプレゼンテーションシステムの動作説明図
【図１３】同実施の形態６におけるネットワーク機能を有するプロジェクタを使用したプレゼンテーションシステムの効果説明図
【図１４】本発明の実施の形態７におけるネットワーク機能を有するプロジェクタを使用したプレゼンテーションシステムの動作説明図
【図１５】従来のプロジェクタを使用したプレゼンテーションシステムの構成図
【図１６】従来のプロジェクタを使用したプレゼンテーションシステムの動作説明図
【符号の説明】
【００７５】
１  画像信号装置
２  プロジェクタ
３  任意のネットワーク網
４  スクリーン
１０、２０  制御手段
１１、２１  通信手段
１２  画像取得手段
１３  画像記憶手段
１４、２４  表示手段
１５  画像重畳手段
２２  画像展開手段
２３  記憶素子
２５  画像拡大手段
【図１】
2007101852.tif 000003
【図２】
2007101852.tif 000004
【図３】
2007101852.tif 000005
【図４】
2007101852.tif 000006
【図５】
2007101852.tif 000007
【図６】
2007101852.tif 000008
【図７】
2007101852.tif 000009
【図８】
2007101852.tif 000010
【図９】
2007101852.tif 000011
【図１０】
2007101852.tif 000012
【図１１】
2007101852.tif 000013
【図１２】
2007101852.tif 000014
【図１３】
2007101852.tif 000015
【図１４】
2007101852.tif 000016
【図１５】
2007101852.tif 000017
【図１６】
2007101852.tif 000018